(57)【要約】【課題】ＤＶＤ、ＳＡＣＤ、ＣＤ等の互いにフォーマットの異なる複数種類のディスクの再生が可能なマルチディスクプレーヤにおいて、ディスクの投入から音声や映像が再生されるまでの時間を短縮する。【解決手段】前回の再生時におけるディスクのフォーマットを記憶手段に記憶しておき、記憶されたフォーマットに応じて所定の動作でフォーマットの判別動作を行なう。【選択図】  図７
2004171612.tif 000002
【特許請求の範囲】
【請求項１】
複数種類のフォーマットの媒体を再生可能な再生装置において、
装着された媒体のフォーマットを自動的に判別する判別手段と、
媒体のフォーマットの種類をマニュアル操作によって入力する入力手段と、
を具備し、前記判別手段はまず前記入力手段によって入力されたフォーマットによって判別動作を行なうとともに、前記入力されたフォーマットが媒体と一致しないときに他の種類のフォーマットの判別動作を行なうことを特徴とする再生装置。
【請求項２】
複数種類のフォーマットの媒体を再生可能な再生装置において、
装着された媒体のフォーマットを自動的に判別する判別手段と、
媒体のフォーマットの種類をマニュアル操作によって選択する選択手段と、
を具備し、前記判別手段は前記選択手段による選択に応じて所定の順序でフォーマットの判別動作を行なうことを特徴とする再生装置。
【請求項３】
選択手段によって選択されたフォーマットの判別動作を最初に行なうことを特徴とする請求項２に記載の再生装置。
【請求項４】
複数種類のフォーマットの媒体を再生可能な再生装置において、
装着された媒体のフォーマットを自動的に判別する判別手段と、
前回の再生時に用いたフォーマットを記憶する記憶手段と、
を具備し、前記記憶手段に記憶されているフォーマットに応じて所定の順序でフォーマットの判別動作を行なうことを特徴とする再生装置。
【請求項５】
記憶手段によって記憶されているフォーマットの判別動作を最初に行なうことを特徴とする請求項４に記載の再生装置。
【請求項６】
複数種類のフォーマットの媒体を再生可能な再生装置において、
装着された媒体のフォーマットを自動的に判別する判別手段と、
以前の再生に用いられたそれぞれのフォーマットを使用状態に応じて重みづけする演算手段と、
前記演算手段によって演算されたそれぞれのフォーマットの重みを記憶する記憶手段と、
を具備し、前記記憶手段によって記憶されているフォーマットの重みに応じて所定の順序でフォーマットの判別動作を行なうことを特徴とする再生装置。
【請求項７】
重みの重い順にフォーマットの判別動作を行なうことを特徴とする請求項６に記載の再生装置。
【請求項８】
複数種類のフォーマットの媒体を再生可能な再生装置における装着された媒体と一致するフォーマットを選択する方法において、
媒体のフォーマットの種類をマニュアル操作によって入力し、該入力されたフォーマットによって自動判別動作を行ない、前記入力されたフォーマットが媒体と一致しないときに他の種類のフォーマットの判別動作を行なうことを特徴とする再生装置のフォーマットの選択方法。
【請求項９】
複数種類のフォーマットの媒体を再生可能な再生装置における装着された媒体と一致するフォーマットを選択する方法において、
媒体のフォーマットの種類をマニュアル操作によって選択し、該選択に応じて所定の順序でフォーマットの判別動作を行なうことを特徴とする再生装置のフォーマットの選択方法。
【請求項１０】
複数種類のフォーマットの媒体を再生可能な再生装置における装着された媒体と一致するフォーマットを選択する方法において、
前回の再生時に用いたフォーマットを記憶しておき、前回用いたフォーマットの判別動作を最初に行なうとともに、前回用いたフォーマットが媒体と一致しなかった場合に前回のフォーマットに応じて設定される所定の順序で判別動作を行なうことを特徴とする再生装置のフォーマットの選択方法。
【請求項１１】
複数種類のフォーマットの媒体を再生可能な再生装置における装着された媒体と一致するフォーマットを選択する方法において、
以前の再生時に用いられたフォーマットを使用の状態に応じて重みづけして記憶しておき、重みの重い順にフォーマットの判別動作を行なうことを特徴とする再生装置のフォーマットの選択方法。
【発明の詳細な説明】
【０００１】
【発明の属する技術分野】
本発明は再生装置および再生装置のフォーマットの選択方法に係り、とくに複数種類のフォーマットの媒体を再生可能な再生装置およびこのような再生装置における装着された媒体と一致するフォーマットを選択するフォーマットの選択方法に関する。
【０００２】
【従来の技術】
光ディスクを媒体とする光ディスクプレーヤが広く用いられている。光ディスクプレーヤはターンテーブルによって光ディスクを回転させながら光学ピックアップを光ディスクに対して半径方向に移動して信号を読出し、これによって音声や映像を再生するものである。
【０００３】
このような光ディスクプレーヤよって再生される光ディスク中、例えば直径がほぼ１２０ｍｍの光ディスクには、ＣＤ（Ｃｏｍｐａｃｔ  Ｄｉｓｃ）、ＳＡＣＤ（Ｓｕｐｅｒ  Ａｕｄｉｏ  Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の各種のフォーマットの光ディスクが提案され、利用されている。そして従来はそれぞれの種類の光ディスクに応じて、専用のディスクプレーヤが用いられ、このようなディスクプレーヤによって対応するフォーマットで再生動作が行なわれていた。ところが最近では複数種類の光ディスクを単一のディスクプレーヤによって再生できるようにした光ディスクプレーヤが提案されている。これはディスクの回転数や光ピックアップのフォーカスサーボ、あるいはトラッキングの調整を変えることによって再生可能であるために、このような調整機構を搭載することによって複数種類の光ディスクの再生が可能になるからである。
【０００４】
特開２００２−１１７６１４号公報には、キー操作部によって利用者の操作に従って、ディスク種別を判別するための優先順位を規定する順位情報を入力すると、マイコンがキー操作部を介して入力した順位情報を優先順位テーブルとしてＲＡＭに記憶し、マイコンは記録再生部に任意のディスクがセットされると、ＲＡＭに記憶された優先順位テーブルに従って再生部を制御し、フォーカス調整等を順次変化させながら、セットされたディスクの種別を判別し、マイコンは記録再生部を制御し、判別したディスク種別に従って、さらにゲイン調整等を行なってディスクに記録されたデータを読出すようにしたディスク判別方法が開示されている。
【０００５】
【特許文献１】特開２００２−１１７６１４号公報
【発明が解決しようとする課題】
また例えばカーオーディオ用のディスクプレーヤであって、ＣＤ、ＤＶＤ、ＳＡＣＤが再生可能なマルチディスクプレーヤシステムにおいて、そのディスクがどのフォーマットであるかを自動的に判別し、再生可能なものが発売されている。しかしながら判別フローが原則的に一定の順序に設定されているために、ディスクの種類によっては、ディスクの投入から音声や映像が出力されるまでに、２０〜２５秒程度時間がかかり、非常に使い勝手が悪くなっている。上記特開２００２−１１７６１４号公報に開示されている技術は、このような使い勝手の悪さを解決するための１つの対策である。
【０００６】
このようなマルチディスクプレーヤにおけるディスクの投入から音声や映像が出力されるまでの時間がかかる不具合は、再生対応フォーマットが増加するに従って当然のことながら、その時間が長くなる傾向にあり、ユーザビリティを損っている。上述の特開２００２−１１７６１４号公報に開示されているようなディスクの判別方法は、順位情報をユーザーが入力して設定するものであるが、直観的な操作に対応するものではない。またこのような判別方法は、ディスクの種類を頻繁に変更する場合には、その度毎に優先順位を変更しないと、ディスクの投入から音声や映像が出力されるまでの時間を短縮することができない欠点がある。
【０００７】
本発明はこのような問題点に鑑みてなされたものであって、より簡単な操作によって最適なフォーマットの判別動作が行なわれるようにし、あるいはまた今まで使用した状態に応じて最適なフォーマットの判別動作が行なわれるようにした再生装置および再生装置のフォーマットの選択方法を提供することを目的とする。
【０００８】
【課題を解決するための手段】
本願の主要な発明は、
複数種類のフォーマットの媒体を再生可能な再生装置において、
装着された媒体のフォーマットを自動的に判別する判別手段と、
媒体のフォーマットの種類をマニュアル操作によって入力する入力手段と、
を具備し、前記判別手段はまず前記入力手段によって入力されたフォーマットによって判別動作を行なうとともに、前記入力されたフォーマットが媒体と一致しないときに他の種類のフォーマットの判別動作を行なうことを特徴とする再生装置に関するものである。
【０００９】
本願の別の主要な発明は、
複数種類のフォーマットの媒体を再生可能な再生装置において、
装着された媒体のフォーマットを自動的に判別する判別手段と、
媒体のフォーマットの種類をマニュアル操作によって選択する選択手段と、
を具備し、前記判別手段は前記選択手段による選択に応じて所定の順序でフォーマットの判別動作を行なうことを特徴とする再生装置に関するものである。なおここで選択手段によって選択されたフォーマットの判別動作を最初に行なうことが好ましい。
【００１０】
本願の別の主要な発明は、
複数種類のフォーマットの媒体を再生可能な再生装置において、
装着された媒体のフォーマットを自動的に判別する判別手段と、
前回の再生時に用いたフォーマットを記憶する記憶手段と、
を具備し、前記記憶手段に記憶されているフォーマットに応じて所定の順序でフォーマットの判別動作を行なうことを特徴とする再生装置に関するものである。ここで記憶手段によって記憶されているフォーマットの判別動作を最初に行なうことが好適である。
【００１１】
本願のさらに別の主要な発明は、
複数種類のフォーマットの媒体を再生可能な再生装置において、
装着された媒体のフォーマットを自動的に判別する判別手段と、
以前の再生に用いられたそれぞれのフォーマットを使用状態に応じて重みづけする演算手段と、
前記演算手段によって演算されたそれぞれのフォーマットの重みを記憶する記憶手段と、
を具備し、前記記憶手段によって記憶されているフォーマットの重みに応じて所定の順序でフォーマットの判別動作を行なうことを特徴とする再生装置に関するものである。なおここで重みの重い順にフォーマットの判別動作を行なうことが好適である。
【００１２】
フォーマットの選択方法に関する主要な発明は、
複数種類のフォーマットの媒体を再生可能な再生装置における装着された媒体と一致するフォーマットを選択する方法において、
媒体のフォーマットの種類をマニュアル操作によって入力し、該入力されたフォーマットによって自動判別動作を行ない、前記入力されたフォーマットが媒体と一致しないときに他の種類のフォーマットの判別動作を行なうことを特徴とする再生装置のフォーマットの選択方法に関するものである。
【００１３】
フォーマットの選択方法に関する別の発明は、
複数種類のフォーマットの媒体を再生可能な再生装置における装着された媒体と一致するフォーマットを選択する方法において、
媒体のフォーマットの種類をマニュアル操作によって選択し、該選択に応じて所定の順序でフォーマットの判別動作を行なうことを特徴とする再生装置のフォーマットの選択方法に関するものである。
【００１４】
フォーマットの選択方法に関するさらに別の発明は、
複数種類のフォーマットの媒体を再生可能な再生装置における装着された媒体と一致するフォーマットを選択する方法において、
前回の再生時に用いたフォーマットを記憶しておき、前回用いたフォーマットの判別動作を最初に行なうとともに、前回用いたフォーマットが媒体と一致しなかった場合に前回のフォーマットに応じて設定される所定の順序で判別動作を行なうことを特徴とする再生装置のフォーマットの選択方法に関するものである。
フォーマットの選択方法に関するさらに別の発明は、
複数種類のフォーマットの媒体を再生可能な再生装置における装着された媒体と一致するフォーマットを選択する方法において、
以前の再生時に用いられたフォーマットを使用の状態に応じて重みづけして記憶しておき、重みの重い順にフォーマットの判別動作を行なうことを特徴とする再生装置のフォーマットの選択方法に関するものである。
【００１５】
本願に含まれる発明の好ましい態様は、少なくとも２種類以上のメディアフォーマットを１つの再生装置で再生可能なシステムにおいて、メディアフォーマットの自動判別手段を有し、メディアをシステムへ投入する前か同時に、フォーマットを選択可能な手段を有することを特徴とするマルチメディア再生装置に関する。
【００１６】
このような装置によれば、メディアをシステムへ投入する際にフォーマットを選択することによって、そのフォーマットの判別動作を最初に行なうことが可能なり、ディスクの投入から音声や映像が再生されるまでの時間が大幅に短縮される。
【００１７】
【発明の実施の形態】
図１は本発明の一実施の形態に係る車載用のカーオーディオ装置のディスクプレーヤ１０を示している。このディスクプレーヤ１０はその前面側のフロントパネルの部分に横長の開口１１を備え、この開口１１によってトレー１２が引出しおよび収納自在になっている。そしてトレー１２上に記録媒体を構成するディスク１３が載置されるようになっている。トレー１２の前端側の部分であってその上端には、複数の再生釦１４が配されている。これらの再生釦１４は再生されるディスクの種類を表示するとともに、トレー１２の引込みの指示のためのクローズ釦を兼用している。ここでは３つの再生釦１４が設けられ、左から順にＤＶＤ、ＳＡＣＤ、ＣＤの表示が施されている。
【００１８】
図２はこのようなディスクプレーヤのシステムの概略を示しており、上記光ディスク１３を回転自在に載置するターンテーブル１８が設けられている。ターンテーブル１８はその下側に配されている同軸のモータ１９によって回転駆動される。そしてモータ１９を駆動するためのモータ駆動回路２０が設けられている。またターンテーブル１８の側部にはディスク１３の半径方向に移動可能に光ピックアップ２１が配されている。この光ピックアップ２１は信号読取回路２２と接続されている。また信号読取回路２２は信号復号化装置２３に接続され、この信号復号化装置２３によって音声信号あるいは映像信号を出力するようになっている。
【００１９】
上記モータ駆動回路２０、信号読取回路２２、および信号復号化回路２３はシステム制御装置２６によってそれぞれ制御されるようになっている。なおこのシステム制御装置２６はＣＰＵから成る演算手段を備えている。またこのシステム制御装置２６には記憶装置２７が接続されている。さらにシステム制御装置２６と接続されるようにフォーマット選択入力装置２８が設けられている。このフォーマット選択入力装置２８の入力操作部が上記再生釦１４から構成されている。
【００２０】
以上のような構成において、このディスクプレーヤ１０によって光ディスク１３の再生を行なう場合には、フォーマット選択入力装置２８の入力操作部を構成する再生釦１４によってメディアフォーマットを選択する。すなわちディスク１３の種類に応じて再生釦１４を選択し、この後に再生釦１４の引込み指令によりトレー１２を光ディスクプレーヤ１０内に引込む。すると記憶装置２７によってそのフォーマットが記憶されると同時に、モータ駆動回路２０によってディスク１３は読取装置内にセットされて回転し、読取り状態になる。
【００２１】
次に光ピックアップ２１によってディスク１３上の信号が読出される。そしてこのディスクプレーヤ１０は記憶装置２７に記憶されているフォーマットに従って、システム制御装置２６によってメディアフォーマットの検出を行なう。そしてその検出動作によって読取り可能なフォーマットがあった場合には、このディスク１０内の信号を読出し、信号復号化装置２３によって復号化し、このディスクプレーヤ１０の外部に音声あるいは映像として出力する。
【００２２】
図３はこのような動作の際におけるメディアフォーマットの判別動作を示している。すなわちフォーマット選択入力装置２８の再生釦１４によって選択されたフォーマットをまず設定する。そしてこのフォーマットに基いてディスク１３の読出しの検出処理を行なう。そしてディスク１３に書込まれたフォーマットである場合には、その信号の読取り動作を行なう。これに対して設定されたフォーマットがディスク１３のフォーマットと異なる場合には、別の再生可能なフォーマットがあるかどうかの判断を行なうとともに、別の再生可能なフォーマットの設定を行ない、再び上述のフォーマットの判別動作を繰返す。別の再生可能なフォーマットがない場合には信号読取りのエラー処理を行なう。
【００２３】
従ってこのようなディスクプレーヤによれば、このディスク１３を投入する前に再生釦１４によって選んだフォーマットの種類がディスク１３と一致している場合には最初に判別動作が行なわれ、この判別動作によって一致して信号の読取り動作が開始される。従ってディスク１３の投入から音声や映像が再生されるまでの時間が著しく短縮される。また上記再生釦１４による選択動作を誤って別のフォーマットの再生釦１４を押した場合であっても、図３に示すフローチャートに基いて別の再生可能なフォーマットを設定して、一致した場合にはそこで信号読取り処理が行なわれる。従って再生釦１４によるフォーマットの選択操作が誤ったとしても、再生不能の状態にならない。
【００２４】
次に第２の実施の形態を図４および図５によって説明する。この実施の形態は図４に示すように、ディスクプレーヤ１０のフロントパネルにスロット３２が形成され、このスロット３２内にディスク１３を投入するようになっている。ディスク１３が投入されるとスロット３２の内側であってその上下に配されているローディングローラによってディスク１３が引込まれて再生動作が行なわれるようになっている。しかもここでディスクプレーヤ１０のフロントパネルにはフォーマット選択つまみ３３が配され、この選択つまみ３３によってＤＶＤ、ＳＡＣＤ、ＣＤ等の選択が行なわれるようになっている。
【００２５】
このように第２の実施の形態は、ＤＶＤ、ＳＡＣＤ、ＣＤが再生可能なマルチディスクプレーヤにおいて、ディスク挿入口であるスロット３２の近傍にＤＶＤ、ＳＡＣＤ、ＣＤのそれぞれメディアの選択を行なうためのフォーマット選択つまみ３３が設置されている。ユーザーは再生するディスクフォーマットをこの選択つまみ３３によって選択した後にディスクを挿入する。すると自動的にディスクが引込まれ、図５に示す順序でディスクフォーマットが判別され、再生が開始される。
【００２６】
フォーマット選択つまみ３３によってＤＶＤが選択された場合には、ＤＶＤの検出処理、ＳＡＣＤの検出処理、ＣＤの検出処理の順番でフォーマットの判別動作が行なわれる。フォーマット選択つまみ３３によってＳＡＣＤが選択された場合には、ＳＡＣＤ、ＤＶＤ、ＣＤの順で判別動作が行なわれる。またフォーマット選択つまみ３３によってＣＤが選択された場合には、ＣＤ、ＤＶＤ、ＳＡＣＤの順で判別動作が行なわれる。
【００２７】
次に第３の実施の形態を図６および図７によって説明する。この実施の形態は図６に示すように、ディスクプレーヤ１０のフロントパネルの部分にスロット３２が形成され、このスロット３２を通してディスク１３を投入するようになっている。なおこのディスクプレーヤには再生釦１４やフォーマット選択つまみ３３等のようなユーザーがフォーマットを指定あるいは選択する入力手段が設けられていない。すなわちＤＶＤ、ＳＡＣＤ、ＣＤが再生可能なマルチディスクプレーヤにおいて、以前に再生されたディスクのフォーマットを図２に示すシステム制御装置２６のＣＰＵに接続されているメモリあるいは記憶装置２７に記憶しておき、このディスクフォーマットを優先的に図７に示す手順に従って判別して再生を行なうようにしている。
【００２８】
前回再生されたディスク１３がＤＶＤである場合には、ＤＶＤ、ＳＡＣＤ、ＣＤの順に判別動作が行なわれる。前回使用した際のディスクがＳＡＣＤである場合には、ＳＡＣＤ、ＤＶＤ、ＣＤの順でフォーマットの判別動作が行なわれる。また前回使用されたディスクがＣＤである場合には、ＣＤ、ＤＶＤ、ＳＡＣＤの順で判別動作が行なわれる。
【００２９】
従ってこのような判別方式によれば、再生釦１４やフォーマット選択つまみ３３等によってユーザーが何等かの情報をディスクプレーヤ１０に与えることなく、前回利用したフォーマットを記憶しておき、この記憶されたフォーマットに基いてフォーマットの判別動作を行なうことになる。従ってとくに同一の種類のディスクを繰返して再生する場合には、ディスクの投入から音声や映像が再生されるまでの時間が短縮されることになり、極めて実用的なフォーマットの選択動作が行なわれる。
【００３０】
次に別の実施の形態を図８および図９によって説明する。この実施の形態のディスクプレーヤ１０の形状は図６に示すものと同じである。すなわちここでは再生釦１４やフォーマット選択つまみ３３等のようなユーザーがフォーマットを指定あるいは選択する入力手段を備えていない。
【００３１】
図２に示すシステム制御装置２６の中に内蔵されているＣＰＵは、このディスクプレーヤが使用される度に、そのときに使用されるフォーマットを記憶し、このフォーマットに基いてＣＰＵが重みづけの演算処理を行ない、この重みづけの演算処理を行なった結果を記憶装置２７に記憶している。この記憶装置によって記憶される重み変数の内容は表１に示される。
【００３２】
【表１】
2004171612.tif 000003
【００３３】
このように本実施の形態は、ＤＶＤ、ＳＡＣＤ、ＣＤが再生可能なマルチディスクプレーヤにおいて、ディスク１３が投入された場合に図８に示すように、以前の再生履歴により重みづけされたディスクフォーマットの判別順序に従ってディスクフォーマットを判別して再生を開始する。すなわち図８に示すように、まず最も重みの重いフォーマットの検出処理を行ない、次いで２番目に重いフォーマットの検出処理を行ない、次いで最も軽いフォーマットの検出処理を行なう。従ってディスクの投入から音声や映像が再生されるまでの時間が短縮される確率が非常に短くなる。
【００３４】
図９は図２に示すシステム制御装置２６のＣＰＵによる表１に示す重み変数の重みづけの動作を示している。ここで例えばディスク１３としてＳＡＣＤが再生された場合に、このＳＡＣＤの重み係数がレジスタに設定できる最大値かどうかの判断を行なうとともに、最大値でない場合にはＳＡＣＤの重み係数に１を加える。これに対してＳＡＣＤの重み係数が最大である場合には、ＤＶＤの重み係数とＣＤの重み係数がともにレジスタで設定できる最小値であるかどうかの判断を行ない、最小値でない場合にはこれらの重み係数から１を引く。なおＤＶＤの重み係数およびＣＤの重み係数が最小値の場合には、そのままの状態にする。このような処理によって、ディスク１３が再生された場合毎に、そのディスクフォーマットの重み係数を使用履歴に応じた重みづけにしておくことが可能になる。従ってこのような重み変数を用いることによって、図８に示すフローチャートに基いて、ディスクの投入から音声や映像が再生されるまでの時間を短縮できるようになる。
【００３５】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態は、ＤＶＤ、ＳＡＣＤ、ＣＤの３種類のフォーマットのディスクが再生可能なマルチディスクプレーヤに関するものであるが、本願発明はその他各種のフォーマットのディスクが再生可能なマルチディスクプレーヤに広く適用可能である。
【００３６】
【発明の効果】
本願に含まれる主要な発明は、複数種類のフォーマットの媒体を再生可能な再生装置において、装着された媒体のフォーマットを自動的に判別する判別手段と、媒体のフォーマットの種類をマニュアル操作によって入力する入力手段と、を具備し、判別手段はまず入力手段によって入力されたフォーマットによって判別動作を行なうとともに、入力されたフォーマットが媒体と一致しないときに他の種類のフォーマットの判別動作を行なうものである。
【００３７】
従ってこのような再生装置によれば、入力手段によって入力されたフォーマットと媒体とが一致している場合には媒体の投入から出力までの時間が著しく短縮される。また入力されたフォーマットが媒体と一致しなくても、自動的に一致するフォーマットを検出して再生動作が行なわれる。
【００３８】
本願の別の主要な発明は、複数種類のフォーマットの媒体を再生可能な再生装置において、装着された媒体のフォーマットを自動的に判別する判別手段と、媒体のフォーマットの種類をマニュアル操作によって選択する選択手段と、を具備し、判別手段は選択手段による選択に応じて所定の順序でフォーマットの判別動作を行なうようにしたものである。
【００３９】
従ってこのような再生装置によれば、選択手段による選択に応じて所定の順序でフォーマットの判別動作が行なわれることになり、しかも選択手段による選択を変更することによってフォーマットの判別動作の順序を最適な順序に変更することが可能になる。
【００４０】
本願の別の主要な発明は、複数種類のフォーマットの媒体を再生可能な再生装置において、装着された媒体のフォーマットを自動的に判別する判別手段と、前回の再生時に用いたフォーマットを記憶する記憶手段と、を具備し、記憶手段に記憶されているフォーマットに応じて所定の順序でフォーマットの判別動作を行なうものである。
【００４１】
従ってこのような再生装置によれば、前回の再生時のフォーマット情報を利用して所定の順序でフォーマットの判別動作が行なわれることになり、これによって媒体の投入から出力がなされるまでの時間を短縮できる。
【００４２】
本願のさらに別の主要な発明は、複数種類のフォーマットの媒体を再生可能な再生装置において、装着された媒体のフォーマットを自動的に判別する判別手段と、以前の再生に用いられたそれぞれのフォーマットを使用状態に応じて重みづけする演算手段と、演算手段によって演算されたそれぞれのフォーマットの重みを記憶する記憶手段と、を具備し、記憶手段によって記憶されているフォーマットの重みに応じて所定の順序でフォーマットの判別動作を行なうものである。
【００４３】
従ってこのような再生装置によれば、記憶手段によって記憶されているフォーマットの重みに応じて所定の順序でフォーマットの判別動作が行なわれことになり、媒体の投入から出力までの時間を確率的に最小限に設定することが可能になる。
【図面の簡単な説明】
【図１】ディスクプレーヤの外観斜視図である。
【図２】同ディスクプレーヤのシステム構成を示すブロック図である。
【図３】フォーマットの判別動作を示すフローチャートである。
【図４】第２の実施の形態のディスクプレーヤの正面図である。
【図５】同ディスクプレーヤの動作を示すフローチャートである。
【図６】第３の実施の形態のディスクプレーヤの正面図である。
【図７】同ディスクプレーヤの動作を示すフローチャートである。
【図８】第４の実施の形態の動作を示すフローチャートである。
【図９】同重みづけの動作を示すフローチャートである。
【符号の説明】
１０‥‥ディスクプレーヤ、１１‥‥開口、１２‥‥トレー、１３‥‥ディスク（媒体）、１４‥‥再生釦、１８‥‥ターンテーブル、１９‥‥モータ、２０‥‥モータ駆動回路、２１‥‥光ピックアップ、２２‥‥信号読取回路、２３‥‥信号復号化装置、２６‥‥システム制御装置、２７‥‥記憶装置、２８‥‥フォーマット選択入力装置、３２‥‥スロット、３３‥‥フォーマット選択つまみ
【図１】
2004171612.tif 000004
【図２】
2004171612.tif 000005
【図３】
2004171612.tif 000006
【図４】
2004171612.tif 000007
【図５】
2004171612.tif 000008
【図６】
2004171612.tif 000009
【図７】
2004171612.tif 000010
【図８】
2004171612.tif 000011
【図９】
2004171612.tif 000012